(57)【要約】【課題】ＮＯｘトラップ触媒の脱離・還元処理時のように空気過剰率がリーンからリッチへと急変するときの燃料噴射時期の最適値からのずれによるトルク変動を緩和する。【解決手段】空気過剰率の変化量が大であるときに、目標空気過剰率と実空気過剰率に基づき、補間計算等により実空気過剰率に応じて燃料噴射時期が変化するように補正を行う。目標空気過剰率へと収束してゆくときの実空気過剰率の変化に従って燃料噴射時期を変化させるので、実空気過剰率に応じて適切な燃料噴射時期を設定できると共に、燃料噴射時期が空気過剰率変化前後の目標値間でステップ状に急変する作用を抑制して、トルク変動を緩和できる。【選択図】図４
2005048724.tif 000002
【特許請求の範囲】
【請求項１】
燃料噴射時期を可変制御可能な燃料噴射装置を備えたディーゼルエンジンにおいて、
エンジン運転状態に基づいて定めた目標空気過剰率に空気過剰率を制御する空気過剰率制御手段と、
エンジン運転状態に基づいて定めた目標噴射時期に燃料噴射時期を制御する燃料噴射時期制御手段と、
エンジンの実空気過剰率を演算する実空気過剰率演算手段と、
前記目標空気過剰率の変化量が大であるときに、前記実空気過剰率に基づいて燃料噴射時期を補正する燃料噴射時期補正手段と、
を備えたことを特徴とするエンジンの燃料噴射制御装置。
【請求項２】
前記空気過剰率制御手段は、エンジン運転状態としてエンジンの回転速度と燃料噴射量を検出し、該検出値に応じて目標空気過剰率を付与するように形成されたマップを検索して目標空気過剰率を設定する請求項１に記載のエンジンの燃料噴射制御装置。
【請求項３】
前記燃料噴射時期補正手段は、変化前後の空気過剰率に対する実空気過剰率の比に応じて燃料噴射時期を補間補正する請求項１に記載のエンジンの燃料噴射制御装置。
【請求項４】
前記燃料噴射時期補正手段は、実空気過剰率を用いて定めた時定数を有する一次遅れフィルタにより燃料噴射時期を補正する請求項１に記載のエンジンの燃料噴射制御装置。
【請求項５】
前記燃料噴射時期補正手段は、目標噴射時期の現在値と噴射時期指令値の前回値との差分に実空気過剰率を用いて定めた補正係数を乗じ、これに前記前回値に加える処理により補正燃料噴射時期を得るようにした請求項１に記載のエンジンの燃料噴射制御装置。
【請求項６】
前記燃料噴射時期補正制御手段は、エンジン排気系に備えられたＮＯｘトラップ触媒を再生するためのリッチスパイク制御時に前記燃料噴射時期の補正を行う請求項１に記載のエンジンの燃料噴射制御装置。
【請求項７】
前記燃料噴射時期補正制御手段は、エンジン排気系に備えられた排気微粒子フィルタを再生するための排気昇温制御時に前記燃料噴射時期の補正を行う請求項１に記載のエンジンの燃料噴射制御装置。
【請求項８】
前記空気過剰率制御手段は、吸気通路に介装された絞り弁の開度に応じて吸入空気量を加減することで空気過剰率を制御する請求項１に記載のエンジンの燃料噴射制御装置。
【請求項９】
前記空気過剰率と燃料噴射時期は、それぞれリーン運転時とリッチ運転時につきエンジン運転状態に応じて目標値を付与するように形成されたマップを検索することにより設定される請求項３に記載のエンジンの燃料噴射制御装置。
【請求項１０】
前記燃料噴射装置は、高圧燃料ポンプによる加圧燃料を分配するコモンレールと、該コモンレールに接続され、その開弁時期及び開弁時間に応じて燃料の噴射時期及び噴射量を設定する燃料噴射弁とを備えたコモンレール式燃料噴射装置である請求項１に記載のエンジンの燃料噴射制御装置。
【発明の詳細な説明】
【技術分野】
【０００１】
本発明はエンジンの燃料噴射制御装置に関し、特にその燃料噴射時期制御に関する。
【背景技術】
【０００２】
エンジン運転状態に応じて燃料噴射時期を制御するディーゼルエンジンとして、特許文献１に示したようなものが知られている。最適燃料噴射時期を決定する要素として空気過剰率があり、特に排気エミッション及び燃費対策として幅広い空気過剰率領域で運転するエンジンでは燃料噴射時期の制御精度がエンジンの諸性能に大きく影響する。
【特許文献１】特開2003-129890号公報
【発明の開示】
【発明が解決しようとする課題】
【０００３】
例えば定常時は空気過剰率が２以上のリーン燃焼で運転し、加速時のみ空気過剰率が１付近のリッチ燃焼とする場合がある。このように空気過剰率が急変する過渡時には最適燃料噴射時期も大きく変化するが、従来は目標とする空気過剰率の変化に対応して燃料噴射時期を変化させていたため、前述のような過渡時において最適燃料噴射時期とのずれを生じるおそれがあった。これは燃料噴射時期はエンジン運転状態に応じた目標値に速やかに変化するのに対して、実空気過剰率は吸気の輸送遅れにより変化が遅れるからである。燃料噴射時期の誤差はトルク変動を生じる原因ともなる。
加速時であれば前述のようなトルク変動が運転者に感知されるおそれは少なく、運転性が損なわれるようなこともないが、ＮＯｘトラップ触媒や排気微粒子フィルタ（ＤＰＦ）を再生するためのエンジン制御に伴って空気過剰率をリッチ化させる場合には、このようなエンジン制御は運転者の意思によらずエンジン側の要求によって定常的な運転条件下でも実施されることから、パイロット噴射時期の変化によるトルク変動が感知されやすい。
【課題を解決するための手段】
【０００４】
本発明では、空気過剰率の変化量が大であるときに、実空気過剰率に基づいて燃料噴射時期を補正することにより、実空気過剰率変化に対応した最適燃料噴射時期に制御する。
【発明の効果】
【０００５】
本発明によれば、目標空気過剰率へと収束してゆくときの実空気過剰率の変化に従って燃料噴射時期が変化するので、実空気過剰率に応じて適切な燃料噴射時期を設定でき、従って過渡時の吸気輸送遅れによる誤差に原因するエンジン性能の低下やトルク変動の発生を回避することができる。
【発明を実施するための最良の形態】
【０００６】
図１は、本発明を適用可能な過給機付ディーゼルエンジンの一例を示した概略構成図である。図に示すように、エンジン本体１には、コモンレール２、燃料噴射弁３および図示しない高圧燃料ポンプを構成要素とするコモンレール燃料噴射系が設けられており、高圧の燃料をエンジン本体１に供給する。前記燃料噴射弁３は、燃焼室に燃料を直接噴射し、かつメイン噴射の前にパイロット噴射が可能であり、またコモンレール２内の設定燃料圧力を変更することにより、燃料噴射圧力を可変制御できる。
【０００７】
過給機４のコンプレッサ４ａは吸気通路５に介装されており、排気タービン４ｂにより駆動されて圧縮空気をエンジン本体１に供給する。排気タービン４ｂは排気通路６に介装されており、エンジン本体１からの排気により回転して前記コンプレッサ４ａを駆動する。なお、本実施形態においては、過給機４として可変容量型のものを用いており、低速域においてはタービン４ｂ側に設けられた可変ノズルを絞ってタービン効率を高め、高速域においては前記可変ノズルを開いてタービン容量を拡大させることにより、広い運転領域で高い過給効果を得ることができる。
【０００８】
吸気通路５には、前記コンプレッサ４ａの上流側にエアフローメータ７、下流側に吸気絞り弁８がそれぞれ介装されている。吸気絞り弁８は、例えば、ステップモータを用いて開度変更が可能な電子制御式のものであり、その開度に応じてエンジン本体１に吸入される吸入空気量を制御する。
【０００９】
排気通路６には、エンジン本体１と排気タービン４ｂとの間から分岐して吸気通路５に接続するＥＧＲ通路９が設けられ、このＥＧＲ通路９にはＥＧＲ弁１０が介装されている。前記ＥＧＲ弁１０は、例えば、ステップモータを用いた電子制御式のものであり、その開度に応じて吸気側に還流する排気の量、すなわち、エンジン本体１に吸入されるＥＧＲ量を制御する。排気通路６には、排気タービン４ｂの下流側にＨＣ吸着機能付き酸化触媒１１、ＮＯｘトラップ触媒１２および排気微粒子フィルタ（ＤＰＦ）１３が順に設けられている。
【００１０】
前記ＨＣ吸着機能付き酸化触媒１１は低温時に吸着した排気中のＨＣを高温時に放出する特性を有する。活性状態ではＨＣ、ＣＯを酸化処理する。ＮＯｘトラップ触媒１２は、希薄空燃比運転状態で吸着した排気中のＮＯｘを、濃空燃比運転状態で放出する特性を有する。活性状態ではＮＯｘを還元浄化する。ＤＰＦ１３は排気中のＰＭ（微粒子状物質）を捕集する。捕集したＰＭは排気温度を高温化する再生制御により燃焼処理される。前記ＮＯｘトラップ触媒およびＤＰＦ１３は、酸化触媒としての機能を併有するものもある。
【００１１】
各種状態を検出するセンサとして、吸入空気量Ｑａを検出する前記エアフローメータ７の他、エンジン回転速度Ｎｅを検出する回転速度センサ１４、アクセル開度を検出するアクセル開度センサ１５、冷却水温Ｔｗを検出する水温センサ１６、前記コモンレール２内の燃料圧力（すなわち、燃料噴射圧）を検出するレール圧センサ１７等が設けられる。また、それぞれ前記ＨＣ吸着機能付き酸化触媒１１、ＮＯｘトラップ触媒１２およびＤＰＦ１３の出口排気温度を検出する温度センサ２１、２２、２３が設けられている。排気通路６の酸化触媒１１よりも上流側には排気空燃比を検出する空燃比センサ、又は排気酸素濃度を検出する酸素センサ（Ｏ2センサ）２４が設けられている。
【００１２】
２０はＣＰＵおよびその周辺装置からなるマイクロコンピュータにより構成されたコントロールユニットであり、前記各種センサからの検出信号に基づいて燃料噴射量Ｑｆ、噴射時期ＩＴを設定して前記燃料噴射弁３の駆動を制御すると共に、前記吸気絞り弁８およびＥＧＲ弁１０の開度制御を行う。本発明との関係では、コントロールユニット２０は、空気過剰率制御手段、燃料噴射時期制御手段、実空気過剰率演算手段、燃料噴射時期補正手段の各手段の機能に対応している。
【００１３】
図２〜図４はコントロールユニット２０により実行される空気過剰率制御及び燃料噴射時期制御の制御ルーチンを示している。前記空気過剰率制御は、リーン燃焼運転の間にＮＯｘトラップ触媒１２に吸着したＮＯｘを一時的な空気過剰率のリッチ化により脱離及び還元処理するためのリッチスパイク制御の例である。これらの制御ルーチンはエンジン運転中に予め定められた所定の条件、例えばアイドルを含む低負荷低速運転状態であることを条件に一定時間間隔で周期的に実行される。なお図２以下の各流れ図および以下の説明において符号Sは処理ステップ番号を、符号λは空気過剰率をそれぞれ表している。
【００１４】
図２において、まずS21にて図１に示した各種センサ類からの信号を読みとり、次いでこれらの信号を用いてS22にてＮＯｘトラップ触媒１２のＮＯｘ堆積量を計算する。ＮＯｘ堆積量の計算手法は各種知られており、例えばエンジン回転速度Ne、燃料噴射量Qf、冷却水温Tw等の運転状態信号から推定したＮＯｘ量を運転履歴に応じて積算してゆくことでＮＯｘ堆積量を求める。
【００１５】
S23では前記計算により求めたＮＯｘ堆積量を基準値NOx1と比較し、ＮＯｘ堆積量がNOx1以下であれば何もせずに今回のルーチンは終了する。ＮＯｘ堆積量がNOx1を超えたときは、次いでS24にてリッチスパイク制御のルーチンへと移行する。
【００１６】
リッチスパイク制御では、図３に示したようにまずS31にてリッチ燃焼状態に移行したことを示すＬ−Ｒフラグを１にセットすると共に、リッチスパイクを実行する時間を管理するためのカウンタCounter1を初期化する。前記Ｌ−Ｒフラグの初期値は0である。
【００１７】
次いで、S32にて排気λを理論空燃比以下にまでリッチ化するエンジン制御として、吸気絞り弁８およびＥＧＲ弁１０の開度を減じる制御を実施する。目標λを達成する必要上から、燃焼行程後期から排気行程の間にポスト噴射を実施して燃料を追加する等の操作を加える場合もある。λが大きいリーン燃焼運転状態にてＮＯｘトラップ触媒１２に堆積していたＮＯｘは、前記リッチスパイク制御によるλの濃化によりＮＯｘ吸収剤から脱離し、触媒での還元処理により浄化される。
【００１８】
S33では前記Counter1を加算し、S34ではその加算結果が基準値C1を超えたか否かを判定する。前記基準値C0は、図２の処理において演算されたＮＯｘ堆積量に基づいて設定されている。この処理により、Counter1>C0となるまでリッチスパイク制御が継続される。Counter1>C0となったときはS34にてリッチ運転を終了させると共に、Ｌ−Ｒフラグのリセット、ＮＯｘ堆積量の初期化等の終了処理を行ったうえで図２のルーチンに戻る。
【００１９】
次に、燃料噴射時期制御につき図４に沿って説明する。この制御では、まずS41にてリーン時つまり前記リッチスパイク制御のようなλリッチ化制御が行われていない通常運転時の基本目標噴射時期ITLをエンジン運転状態に基づいて設定する。これは例えば燃料噴射量Qfとエンジン回転速度Neに応じてリーン時基本目標噴射時期ITLを付与するように予め形成されたマップを検索することにより設定する。
【００２０】
次いで、S42にてリッチスパイクによるリッチ運転状態であるか否かを前述したＬ−Ｒフラグの状態により判定する。Ｌ−Ｒフラグ＝０のときは通常のリーン運転状態であるので、S43以降の処理を迂回し、S47にて前記リーン時基本目標噴射時期ITLを出力する。
【００２１】
エンジンがリッチスパイク制御状態に入ると、Ｌ−Ｒフラグ＝１となる。このとき空気過剰率は例えば２〜３のリーン状態から０．８程度のリッチ状態へと急減する。この場合、S43にてリッチ時の目標基本噴射時期ITRをエンジン運転状態に基づいて設定する。この設定手法は、前記ITLと同様にマップ検索による。なお、リッチ時の目標噴射時期はリーン時よりも進角側に移る。
【００２２】
次いでS44にてλ変化前後の目標λと現在の実λを読み込む。目標λは、空気過剰率制御のためにリーン時とリッチ時のそれぞれについて前記基本噴射時期と同様にエンジン運転状態に応じて予め形成されたマップを検索することにより得られる。実λは、空燃比センサ２４による検出のほか、エンジンの吸入ガス流量及び燃料噴射量等に基づいて演算により求めることもできる。
【００２３】
S45〜S46では、前述のようにして読み込んだリッチまたはリーン時目標λと実λとからλ偏差R＿Lambdaを求め、このλ偏差R＿Lambda及び前記基本目標噴射時期ITL,ITRを用いて燃料噴射時期の指令値ITを演算する。
【００２４】
前記ITの演算手法の一例につき、図５を用いて説明する。ここでは、リーン時目標λをL1、リッチ時目標λをL2、実λをLaとするとき、L1及びL2に対するLaの比をR＿Lambdaとして求め、この比により、リーン時基本目標噴射時期ITLとリッチ時基本目標噴射時期との間の補間値としてITを得る。前記手法を演算式として表すと次の通りである。
λ偏差：
R＿Lambda=(La - L2)/(L1 - L2)
噴射時期指令値：
IT=(ITL - ITR)R＿Lambda + ITR
【００２５】
前記燃料噴射時期の補間補正により、λがリーン時目標値からリッチ時目標値へと大きく変化するときの実λの変化に従って燃料噴射時期の指令値ITが変化する。これにより、λの目標値変動時の吸気輸送遅れに原因する実λの応答遅れに応じて適切な燃料噴射時期を設定できると共に、燃料噴射時期の急変を抑制してトルク変動を緩和することができる。
【００２６】
図６は空気過剰率が急変したときの第２の燃料噴射時期の補正手法を示している。これは基本目標噴射時期を１次遅れフィルタを介して補正することにより燃料噴射時期を実λに追従させるようにしたものである。
【００２７】
S61でエンジン運転状態に応じて基本目標噴射時期IToをマップ検索し、S62で前記Ｌ−Ｒフラグの判定を行い、Ｌ−Ｒフラグ＝０のときはS66にて前記基本目標噴射時期IToを噴射時期指令値ITとして出力する。
【００２８】
Ｌ−Ｒフラグ＝１のときはS63にて目標λと実λを読み込み、次いでS64にて１次遅れ処理の時定数となるゲインGを前記目標λと実λとの差dLambdaに基づいて設定する。このゲインGは例えば前記dLambdaに対応するように予め形成されたマップを検索することで設定する。
【００２９】
S65では前記ゲインGに係数Kを乗じた値を時定数とする１次遅れ処理を行い、前記基本目標噴射時期IToを補正する。前記補正結果は、S66にて噴射時期指令値ITとして出力する。前記係数Kはエンジン吸気系の輸送遅れ特性に応じて定められる補正係数であり、例えば吸入ガス量とエンジン回転速度に応じてKを付与するように予め形成されたマップを検索することで設定する。
【００３０】
前記処理を実行することで、過渡時においてエンジンの吸気特性と実空気過剰率とを反映した適切な特性で燃料噴射時期を変化させることができる。
【００３１】
図７は空気過剰率が急変したときの第３の燃料噴射時期の補正手法を示している。これは基本目標噴射時期の変化速度を前回制御値を用いて減衰させることにより実空気過剰率に対する追従性を改善するようにしたものである。S71,S72,S76はそれぞれ図６のS61,S62,S66と同一であり、Ｌ−Ｒフラグ＝０のとき、マップ検索により求めた基本目標噴射時期IToを噴射時期指令値ITとして出力する処理である。
【００３２】
Ｌ−Ｒフラグ＝１のときはS73にて目標λと実λを読み込み、次いでS74にて補正係数G（G≦１）を前記目標λと実λとの差dLambdaに基づいて設定する。この補正係数Gは例えば前記dLambdaに対応するように予め形成されたマップを検索することで設定する。
【００３３】
S75では、次式で示したように、前記目標噴射時期の現在値IToと噴射時期指令値の前回値ITzとの差分に前記実空気過剰率を用いて定めた補正係数Gを乗じ、これに前記前回値ITzを加える処理により補正燃料噴射時期ITを得る。
IT←G(ITo - ITz) + ITz
前記補正結果は、S76にて噴射時期指令値ITとして出力する。前記処理によれば、目標噴射時期への変化速度が実空気過剰率に基づく補正係数により減衰されることから、実空気過剰率変化に対応した燃料噴射時期の変化特性が得られる。
【００３４】
なお、前記各実施形態では、ＮＯｘトラップ触媒を再生するためのリッチスパイク制御に伴う空気過剰率変化に対応して燃料噴射時期を補正する例を示したが、本発明はこれに限られず、例えばＤＰＦを再生するための排気昇温制御時など、空気過剰率が急速に変化する運転状態一般に有効である。
【図面の簡単な説明】
【００３５】
【図１】本発明を適用可能なディーゼルエンジンの一例を示す概略構成図。
【図２】本発明による制御の一実施形態の動作内容を示す第１の流れ図。
【図３】本発明による制御の一実施形態の動作内容を示す第２の流れ図。
【図４】本発明による制御の一実施形態の動作内容を示す第３の流れ図。
【図５】空気過剰率急変時の燃料噴射時期の補正手法を表した説明図。
【図６】空気過剰率急変時の燃料噴射時期の補正手法に関する第２の実施形態を示す流れ図。
【図７】空気過剰率急変時の燃料噴射時期の補正手法に関する第３の実施形態を示す流れ図。
【符号の説明】
【００３６】
１    エンジン本体
２    コモンレール
３    燃料噴射弁
４    ターボ過給器
５    吸気通路
６    排気通路
７    エアフローメータ
８    吸気絞り弁
９    ＥＧＲ通路
１０    ＥＧＲ弁
１１    酸化触媒
１２    ＮＯｘトラップ触媒
１３    ＤＰＦ（排気微粒子フィルタ）
１４    回転速度センサ
１５    アクセル開度センサ
１６    水温センサ
１７    レール圧センサ
２０    コントロールユニット
２１，２２，２３  温度センサ
２４    酸素センサ
【図１】
2005048724.tif 000003
【図２】
2005048724.tif 000004
【図３】
2005048724.tif 000005
【図４】
2005048724.tif 000006
【図５】
2005048724.tif 000007
【図６】
2005048724.tif 000008
【図７】
2005048724.tif 000009